(57)【要約】【課題】高齢になると，排尿の勢いが減衰してその終わりには意識しても吐出の勢いは殆どなくなり，結果的に着衣や床を汚す結果となる事例が多く，本来爽快感を伴う排尿が煩わしくなる。然し排尿は重要な生理現象であり意図的に止めるわけにはいかない。そこで，多々ある原因は別にして，ここでは尿による着衣や床の汚染防止を課題とした。【解決手段】疾病あるいは加齢のいずれが原因にしろ，汚れは物理的に防除する以外に無いので，ここでは下向きに角度のつく筒，携帯用を兼ねた折りたたみ式あるいは伸縮可能な排尿の為の補助器具によって課題を解決した。【選択図】図３
2006314783.tif 000002
【特許請求の範囲】
【請求項１】
適当な内径で適当な長さの金属製，セラミックス製，プラスチックス製，あるいは紙製等の円筒，楕円筒又は多角筒において，その一端を使用時に適当な下向きが保てるように角度を付け更に上記の各筒のその切り口に角度を保って装着できる中央に穴を開けた鍔を付けることを特徴とした排尿補助器具。
【請求項２】
「請求項１」において，それらの筒を沈動式等によって伸縮を可能とし又は折りたたみ式として携帯時に小型化出来ることを特徴とした排尿補助器具。
【請求項３】
「請求項１，２」において，それらの筒を先端ほど細くしたテイパ−型とする事とそれらにおける内外面の一部もしくは全面において発水性を呈する物質でコ−ティングする事および紙製の折たたみ式では縁取りと逆流防止の役を兼ねた本体と一体の紙製の膜とで装着口を補強することを特徴とした排尿補助器具，軟質薄膜プラスチックス製では両端を密閉した内外二枚の薄膜で適当な径と長さと形状の筒を構成し，装着時にそれら二枚の薄膜間に簡易な専用手動ポンプで当該補助器具使用の都度，適当な圧の空気を給（排）気孔から充填することによって使用形状と機能とを顕在化できることを特徴とした排尿補助器具。
【発明の詳細な説明】
【技術分野】
【０００１】  本発明は，男性における排尿時において，着衣や床を尿によって汚さない為の排尿補助器具に関するもので，治療等医学的な直接事項は含まないものである。
【背景技術】
【０００２】  高齢になると，排尿の頻度が高くなりまた残尿感が在ったりして特に排尿の勢いが年齢を重ねるに伴って減衰し，その終末頃には吐出の勢いは極端に弱くなり，意識しても尿が纏わって着衣や床を汚す結果となる。特に最近の住宅に於けるトイレは和・洋式共に住宅面積の制約等によって大小兼用の事例が多く，後始末の苦情が聞こえて来る。【０００３】  云うまでもなく，排尿は重要な生理的な要求で，健康さのバロメ−タ−であり，終わった時点である種の爽快感を覚えるものである。しかし着衣等が汚れるという事は別の問題ではあっても，爽快感を超越して排尿そのものが煩わしくなる。生きている限り意図的に止めることの出来ない生理的作用で寧ろ生きている事の査証の一つで非常に重要なことで誰しもその都度爽快感を感じながら終わりたいものである。【０００４】  ところで，排尿時に着衣や床が汚れるという事は最後まで勢いよく尿が吐出しない事に尽きるが，それらの原因の大部分は，疾病を原因とするものも含め生理的な機能の低下であり，其の機能低下の医学的な回復処置が基本ではあっても，このことはここでは範疇外として差し当たっての問題は排尿時に着衣や床の汚れることであり，それらを簡易な方法によって防除することが望まれている。なおこれらに関する文献には次のものがある。
【特許文献Ｉ】登録実用新案第３１０６４１７号
【非特許文献１】学会誌，医学系専門書，医薬品，健康補助食品の効能書き等々には原因や症状，効能についての記載はあるが，本発明に直接的にも間接的にも該当するような内容や表現の記載は見当たらない。
【発明の開示】
【発明が解決しようとする課題】
【０００５】  主に加齢によって生ずる機能低下や疾病を原因とする排尿時に於ける尿の吐出力の減衰，特に排尿の終末時には意識しても勢いよく吐出しなくなるために，尿が纏わって着衣や床等を汚す事態が生じ，医学的な治療とは別に，差し当たってはその汚染防除が望まれている。
【課題を解決する為の手段】
【０００６】  排尿の難易に係わる疾病やそれらの治療等医療分野は別にして，加齢や疾病のいずれを主要因とするにしろ，尿の吐出力が減衰してその結果尿が纏わっても，物理的（機械的）に被覆し，しかも体から距離をおいた位置で最終的な排出が出来るようにすれば，ここでの課題である着衣や床の汚れ防止は一応解決できるので，簡易な筒状あるいはテイパ−状等の器具を使用する事を手段として対応した。
【０００７】  なお，最も重要なのは，排尿の終末であり，吐出の勢いも量も減衰した状況下なので，器具に二次的に纏わって着衣や床を汚すことが起きないように当該補助器具は発水性，紙製では防水性を兼ねて持たせる為に，そのような作用をする物質で内外面全体又は一部にコ−ティング等を施し，使用時は常に補助器具本体が適当な角度で下向きに安定的に位置するように装着口に角度と鍔を付け，紙製の折りたたみ式では縁取りと補強を兼ねて逆流防止膜を付加して完全を期した。
【発明の効果】
【０００８】  着衣や床の汚れは完全に防除できる。家庭内においては勿論であるが，沈動式あるいは折たたみ式では，小型化でき携帯が容易となるので，他人に殆ど知られることなく処理でき，外出に際して，排尿についての幾つか在る気がかりの内，その一端は解消したので積極的に外出を検討できるようになった。
【０００９】  また家庭内では主に掃除等後処理を分担していたご婦人に評価が高く，座って排尿することを要求されていた想像以上の多くの男性諸侯も喝采するだろうと云う。避けて通れない生理的な要求が爽快に処理できることは甚だ喜ばしい。
【発明を実施する為の最良の形態】
【００１０】  排尿は重要な生理現象である。排尿のスム−スに終わった後は爽快感が漲る。しかし疾病は勿論，加齢してくると疾病とまでは云えなくとも残尿感があったり頻尿になったりし，加えて本意ではなくとも着衣や床等を汚すとなると，本来終わった後に爽快感を伴う事柄だけに逆に不快感が残る。
【００１１】  ところで，鉄道や電車のタ−ミナル駅等でよく観ることであるが，着衣を汚してトイレから出てくる深刻な顔，気付いているか否かは不明であるがそしらぬ顔，気にしながら歩く顔，手洗いの前で処理している困惑の顔あるいは排尿の最後にハンカチ等を当て人知れず着衣の汚れを防ぐ工夫をしている人等々夫々であるが，高齢化の進行する時代，多数の人が深刻な問題として捉えているように観える。
【００１２】  このような実態を踏まえた上で，本発明による排尿補助器具について，図面によって説明する。
【００１３】  図Ｉ−Ｉは，装着が抵抗なく出来る程度の内径で，適当な長さのパイプに逆流を防ぐ為に下向きの角度を付けて使用できるように，その使用角度に見合う角度を付けた鍔を付加した排尿補助器具である。図１−ＩＩは，図１−Ｉにテイパ−をつけた例である。
【００１４】  図２−Ｉが筒を沈動式等によって伸縮が自在に調整できるようにして主に携帯用として使用するテイパ−をつけた排尿補助器具の使用時の全体側面図である。図２−ＩＩがその断面図であり先端方向に対する各節の抜け落ち防止を兼ねた継ぎ目に於ける尿の防漏用パッキン５や各節の後端方向に対しての脱落防止環６を例示した。図２−ＩＩＩは携帯するために縮小した状態の姿図であり長さ（高さ）は節の数にもよるが，この例では使用時（伸長時）のおよそ４分の１に縮小することになるので携帯し易くなる。なお「特許文献１；登録実用新案３１０６４１７号」と異なるのは装着時に適当な角度で自動的に下向きとなるように装着口に角度を，またそれに沿うよう角度を付けた鍔を付加したことを特徴とした点と防漏用のパッキンを付加して器具作動部からの尿漏れを防ぐようにした事である。
【００１５】  図３−Ｉが折りたたんだ紙製等の補助器具側面図（１）で三角形を呈する。（２）が装着口３となる装着面のたたんだ図である。（３）が先端吐出側のＢ−Ｂ’における断面図である。図３−Ｉ−（１）に↑↓印によって示したようにそれらの位置を上下に同時に指でつまむと装着口３が開いて図３−ＩＩ−（１）に示す側面姿図がテイパ−型の多角筒を呈する。開口したその装着口側を姿図として示す図３−ＩＩ−（２）のように装着時に下側となる縁取りの内面側に意図的に縁取りの一枚を利用した逆流防止膜が装着面の開口に伴って自動的に立ち上がって拡張するようにその中央をのり付け１０’によって短縮するための加工をした。なお装着口は逆流防止膜を備えた縁取りを付加して補強し又装着時に適当な下向きの角度が保てるようにもしたので鍔の付加はこの事例では割愛した。
【００１６】  使用実態は各型ともに鍔を又は紙製の折りたたみ式では補強用の縁取りの稜線を体に密着するように軽く押し付けるように装着すると，排尿補助器具の本体は適当な下向き角度でその先端は着衣や床を汚さない程度に位置する長さなので排尿すればよい。なお当該補助器具からの吐出口は図１−Ｉの直筒式を除くと小さいので一拍程度遅れはするが臨場感は十分に醸せる。
【００１７】  又下向きの角度がついている事と器具本体の内側と先端の外側あるいは内外面全体には，衛生面を考慮して洗浄が行い易い事を兼ね液体をはじく作用を利用して尿が器具に更に纏わることを防除する為に発水加工を施した。
【００１８】  紙製の折りたたみ式では防水を更に厳重に行うが，本来は折りたたんで携帯し，使い捨てを意図したものである。しかしことの性質上防水加工を余儀なくされるので，施設内に流失させると長時間残存しトラブルの原因となる。現況では誤って落とし施設中に流入させることを含めて在ってはならないので使用時に簡易な方法による落下流入防止の細紐を付けられるように，のぶ９とはと目８とを付加した。
【００１９】  図４−Ｉは両端を密閉した内外二枚１３，１４の薄膜で構成し，その薄膜間に給（排）気口１５から簡易な手動ポンプで空気を充填して補助器具としての形状を維持し機能が働く状態となった断面図である。外観はテイパ−型で図Ｉ−ＩＩに似るので側面の作図は割愛したが折りたたみ式と同様に携帯して使い捨てを意図した補助器具で，この事例では使用し易いように鍔を付加した。
【００２０】  しかし現況の素材は水に不溶解なので施設内に流すことは折りたたみ式と同様に不可であるが，浸水後暫くの時間は疎水性で，ある時間経過後に親水性となって細分してしまう素材も現存はするが，このような素材によって作製した当該補助器具も折りたたみ式と共に本質は変わらないので本発明に含むものである。
【００２１】  使用感は，いずれの型式も極めてよく，安心感が持てて着衣や床を汚すことは無くなった。
【図面の簡単な説明】
【００２２】
【図１】直筒式排尿補助器具。Ｉ直筒型側面図。ＩＩテイパ−型側面図。
【図２】沈動式排尿補助器具。Ｉ沈動テイパ−型使用時の側面図。ＩＩ図２−Ｉの断面図。ＩＩＩ図２−Ｉの携帯時における収納図。
【図３】折りたたみ式排尿補助器具。Ｉ−（１）本体側面図。（２）装着面。（３）吐出側の断面。ＩＩ−（１）装着時における側面の姿図。（２）装着時における開口面の姿図。
【図４】内外二枚の薄膜で構成した排尿補助器具。Ｉ  装着時の断面図（構造説明図）
【符号の説明】
【００２３】  １．補助器具本体。
２．鍔。
３．装着口。
４．防漏用パッキン兼各節の脱落防止。
５．パッキンの接触面（防漏面）。
６．各節の脱落防止のための環。
７．吐出口。
８．はと目（脱落防止紐結着用）。
９．のぶ（脱落防止紐結着用）。
１０．逆流防止膜（拡張時）。
１０’．ノリしろ（接着済み）
１１．折り目。
１２．縁取り。
１３．外側薄膜。
１４．内側薄膜。
１５．給（排）気孔（手動給気ポンプ結着用）。
Ｂ―Ｂ’；吐出側断面。
↓↑  ；プッシュ方向（同時）。
【図１】
2006314783.tif 000003
【図２】
2006314783.tif 000004
【図３】
2006314783.tif 000005
【図４】
2006314783.tif 000006